(57)【特許請求の範囲】
【請求項１】
スピーカの固定部に対して振動部の制振を行う外ダンパーと内ダンパーとからなるスピーカ用ダンパーにおいて、
上記振動部のうちのボイスコイルは、短径及び長径を有するトラック型であり、
上記外ダンパーは、
上記ボイスコイルの外周を支持する外枠部と、
上記枠部の長径を両側から支持する一対の外支持部と、
上記両外支持部を上記固定部のうちのフレームに取り付ける外取付部と、を有し、
上記内ダンパーは、
上記ボイスコイルの内周を支持する内枠部と、
上記内枠部の短径を両側から支持する一対の内支持部と、
上記両内支持部を上記固定部のうちのポールに取り付ける内取付部と、を有する
スピーカ用ダンパー。
【請求項２】
上記一対の内支持部は複数組設けられる
請求項１に記載のスピーカ用ダンパー。
【請求項３】
上記外ダンパーと上記内ダンパーは一体で構成される
請求項１または２に記載のスピーカ用ダンパー。
【請求項４】
スピーカの固定部に対して振動部の制振を行う外ダンパーと内ダンパーからなるスピーカ用ダンパーをスピーカに組み付けるスピーカ用ダンパー組み付け方法において、
上記振動部のうちの短径及び長径を有するトラック型のボイスコイルの内周に嵌め込まれると共に、上記固定部のうちのポールの外周に嵌め込まれるジグを用いて上記外ダンパーと上記内ダンパーが固定される位置決めを行い、
上記ボイスコイルの外周と上記ボイスコイルの外周を支持する外枠部を接着すると共に、上記固定部のうちのフレームと上記外枠部の長径を両側から支持する一対の外支持部を、外取付部を介して接着することにより上記外ダンパーを組み付け、
上記ボイスコイルの内周と上記ボイスコイルの内周を支持する内枠部を接着すると共に、上記ポールと上記内枠部の短径を両側から支持する一対の内支持部を、内取付部を介して接着することにより上記内ダンパーを組み付ける
ようにしたスピーカ用ダンパー組み付け方法。
【発明の詳細な説明】
【技術分野】
【０００１】
本発明は、スピーカ等に用いられるスピーカ用ダンパー及びスピーカ用ダンパー組み付け方法に関するものである。
【背景技術】
【０００２】
従来から、スピーカには、振動部のボイスコイルを正しくポールとプレートの間の磁極空間内に保持するように制振を行う役目をするダンパーが用いられていた。図１５は、従来のダンパー形状を示す図であり、図１５Ａはトラック型ダンパー、図１５Ｂは内ダンパー、図１５Ｃは蝶ダンパーである。
【０００３】
スピーカの振動板の幅を細くする場合には、図１５Ａに示すように、短径及び長径を有するトラック型のボイスコイル１５２の外周にトラック型のダンパー１５１を用いる方法がある。このトラック型のダンパー１５１を用いる方法では、トラック型のダンパー１５１の短径に相当する幅程度までは振動板の幅を細くすることが可能である。
【０００４】
また、図１５Ｂに示すように、短径及び長径を有するトラック型のボイスコイル１５４の内側にダンパー１５３を用いる方法や、円形のボイスコイル１５６の内側にダンパー１５５を用いる方法もある。このトラック型のボイスコイル１５４の内側にダンパー１５３を用いる方法では、トラック型のボイスコイル１５４の短径や円形のボイスコイル１５６の直径に相当する幅程度までは振動板の幅を細くすることが可能となる。
【０００５】
また、図１５Ｃに示すように、ボイスコイル１６１の外周を支持する枠部１５８と、枠部１５８を長径方向に両側から支持する一対の支持部１５９，１６０とを備えた蝶ダンパー１５７を用いる方法も提案されている。この蝶ダンパー１５７を用いる方法では、短径方向の支持が無いので振動板の最低共振周波数Foが上がることが無く、スピーカの振動板の幅を細くすることが可能である。さらに、ダンパーを無くす方法あるいは簡略化する方法も提案されている。これらの方法でも、蝶ダンパーと同様に、十分に低い最低共振周波数Foを得ることができる。
【０００６】
また、周波数応答が平坦で、低周波領域から高周波領域まで高調波歪の少ない音波放射を実現するために、ボイスコイルの長手方向に一端が固定され、他端が磁気回路を保持するフレームに固定されたフック型サスペンションをボイスコイルの両端にそれぞれ設ける電気音響変換器も提案されている（特許文献１）。
【０００７】
また、ボイスコイルが長軸方向と短軸方向を備えており、その長軸方向に沿って複数の可動アームが形成されるとともに、ボイスコイル支持部側付近において、複数の可動アームの少なくとも２本の可動アーム間に橋架される補強部材が短軸方向とほぼ平行に配置されているスピーカ用ダンパーも提案されている（特許文献２）。
【特許文献１】特開2003-47089号公報
【特許文献２】特許第3506855号公報
【発明の開示】
【発明が解決しようとする課題】
【０００８】
しかし、図１５Ａに示すトラック型のダンパー１５１を用いる方法の場合、短径方向のダンパー１５１の長さが短くなるので、コーンエッジやダンパーなどの振動板材料の硬さを示すスティフネスが高くなる。そして、再生帯域の下限である最低共振周波数Foが上昇してしまう。したがって、十分低い最低共振周波数Foを持つスピーカを設計するためには、短径方向のダンパーの幅を長くする必要があり、これにより、スピーカの幅が大きくなってしまうという不都合があった。
【０００９】
また、図１５Ｂに示すボイスコイル１５４の内側にダンパー１５３を用いる方法では、ダンパー１５３の幅はボイスコイル１５４の内径の半分しかとれず、最低共振周波数Foが上昇してしまうという不都合があった。
さらにまた、図１５Ｃに示す蝶ダンパー１５７を用いる方法では、長径方向の支持のみになってしまい、短径方向の支持が無くなるため、大きなレベルの信号入力における振動の際にボイスコイル１６１が短径方向にローリングを起こしてしまうという問題があった。
【００１０】
また、ダンパーが振動板やボイスコイル等の振動系を機械的に支持する役目を持つため、ダンパーを無くしたり、簡略化したりする方法では、ダンパーが振動板やボイスコイル等の振動系を機械的に支持する役目を持つため、ダンパーを除くことにより入力信号に対する振動のレスポンスを示す耐入力が低く大きなレベルの信号が入るとボイスコイルがローリングを起こしてしまうという不都合があった。
【００１１】
また、特許文献１に記載の技術では、ボイスコイルの長手方向のみフック型サスペンションにより支持されるが、短手方向の支持がないため、ボイスコイルが短手方向にローリングを起こしてしまうという不都合があった。
【００１２】
また、特許文献２に記載の技術では、ダンパーの長軸方向は複数の可動アームにより支持されるが、短軸方向は２本の可動アーム間に短軸方向と平行に配置され橋架される補強部材のみである。したがって、この補強部材により２本の可動アームの補強ができるのみで、短軸方向の支持がないため、ボイスコイルが短軸方向にローリングを起こしてしまうという問題があった。
【００１３】
そこで、本発明は、十分低い最低共振周波数Foを持つスピーカを設計することができると共に長径方向の支持と短径方向の支持を分散して、大入力における振動の際のボイスコイルの短径方向のローリングを防止することができるスピーカ用ダンパー及びスピーカ用ダンパー組み付け方法を提供することを目的とするものである。
【課題を解決するための手段】
【００１４】
上記課題を解決し、本発明の目的を達成するため、本発明のスピーカ用ダンパーは、スピーカの固定部に対して振動部の制振を行う外ダンパーと内ダンパーとからなり、振動部のうちのボイスコイルは、短径及び長径を有するトラック型である。外ダンパーは、ボイスコイルの外周を支持する外枠部と、枠部の長径を両側から支持する一対の外支持部と、両外支持部を固定部のうちのフレームに取り付ける外取付部と、を有している。そして、内ダンパーは、ボイスコイルの内周を支持する内枠部と、内枠部の短径を両側から支持する一対の内支持部と、両内支持部を固定部のうちのポールに取り付ける内取付部とを有している。
【００１５】
これにより、ボイスコイルの外側の外ダンパーで長径方向、内側の内ダンパーで短径方向を支持することにより、振動系はしっかり支持され、大入力が入ってもボイスコイルのローリング等を起こさないようにすることができる。このため、耐入力が高いだけでなく大入力においても歪みの少ない音を再生するスピーカを提供することができる。また本発明のダンパー構造によれば、スピーカの再生周波数の下限である最低共振周波数Ｆｏを上昇することが無いため、幅の狭いスピーカで十分な低域まで再生することが可能となる。これにより、耐入力が高く、かつ再生帯域の広い幅方向寸法の小さいスピーカの提供をすることができる。
【００１６】
また、本発明のスピーカ用ダンパー組み付け方法は、振動部のうちの短径及び長径を有するトラック型のボイスコイルの内周に嵌め込まれると共に、固定部のうちのポールの外周に嵌め込まれるジグを用いて固定される位置で、ボイスコイルの外周とボイスコイルの外周を支持する外枠部を接着すると共に、固定部のうちのフレームと外枠部の長径を両側から支持する一対の外支持部を、外取付部を介して接着することにより外ダンパーを組み付け、ボイスコイルの内周とボイスコイルの内周を支持する内枠部を接着すると共に、ポールと内枠部の短径を両側から支持する一対の内支持部を、内取付部を介して接着することにより内ダンパーを組み付けるようにしたものである。
【００１７】
これにより、ボイスコイルの外側の外ダンパーで長径方向の支持部の接着、内側の内ダンパーで短径方向の支持部の接着をジグを用いて固定される位置ですることにより、振動系はしっかり支持され、大入力が入ってもボイスコイルのローリング等を起こさないようにすることができる。従って、耐入力が高いだけでなく大入力においても歪みの少ない音を再生するスピーカを提供することができる。また本発明によるダンパーを用いれば、スピーカの再生周波数の下限である最低共振周波数Ｆｏを上昇することが無いため、幅の狭いスピーカで十分な低域まで再生することが可能となる。従って、耐入力が高く、かつ再生帯域の広い幅方向寸法の小さいスピーカの提供をすることができる。
【発明の効果】
【００１８】
本発明により、ボイスコイルの外側の外ダンパーで長径方向、内側の内ダンパーで短径方向を支持することにより、振動系はしっかり支持され、大入力が入ってもローリング等を起こさないようにすることができるため、耐入力が高いだけでなく大入力においても歪みの少ない音を再生することができる。また本発明のダンパーによれば、スピーカの再生周波数の下限である最低共振周波数Foを上昇すること無いため、幅の狭いスピーカで十分な低域まで再生することができる。
【発明を実施するための最良の形態】
【００１９】
以下、図面を用いて本発明の実施の形態を詳しく説明する。
図１は、スピーカ振動部分の説明図である。図１のようなスピーカ振動部分を備えてスピーカユニットが構成される。
【００２０】
センターキャップ２は、コーン１が半径方向に変形するのを防止することと、鉄粉や塵埃が空隙に入ることを防ぐために設けられる。
【００２１】
外ダンパー７は、ボイスコイル５の外周を支持部の一端により長径方向に支持すると共に、支持部の他端はフレーム１０などの固定部に取り付けられる。また、内ダンパー１１は、ボイスコイル５の内周を短径方向支持部により支持すると共に、この支持部をポール６などの固定部に取り付け、ボイスコイル５を正しくポール６の周囲に保持する。矢紙８はコーン１のエッジ９をフレーム１０に固定するためのものである。
【００２２】
図２は、外ダンパー、内ダンパー及びボイスコイルの斜視図であり、図２Ａは外ダンパー、図２Ｂは内ダンパー、図２Ｃはボイスコイルである。
図２Ａにおいて、外ダンパー７は、ボイスコイル５の外周を支持する枠部１２と、枠部１２の長径を両側から支持する一対の支持部１３，１４と、両支持部１３，１４を固定部のうちのフレーム１０に取り付ける取付部１５，１６とを備えている。
【００２３】
図２Ｂにおいて、内ダンパー１１は、ボイスコイル５の内周を支持する枠部２１と、枠部２１の短径を両側から支持する一対の支持部２２，２３と、両支持部２２，２３を固定部のうちのポール６に取り付ける取付部２４，２５とを備えている。
図２Ｃにおいて、ボイスコイル５は、短径及び長径を有するトラック型で構成され、コイルボビンである巻枠部２６と、巻枠部２６に巻回されたコイル部２７と、コイル部から引き出されるリード線２８とを備えている。
【００２４】
図３は、ボイスコイルに外ダンパー及び内ダンパーを取り付けた状態を示す斜視図である。
図３において、外ダンパー７は、枠部１２内に振動部のうちの短径及び長径を有するトラック型のボイスコイル５の外周が嵌め込まれることにより、ボイスコイル５の外周を支持する。また、枠部１２の長径を一対の支持部１３，１４が両側から支持する。そして、支持部１３，１４の両端に設けられる取付部１５，１６が、両支持部１３，１４を固定部のうちのフレーム１０に固定して取り付ける。
【００２５】
内ダンパー１１は、枠部２１外に上述した短径及び長径を有するトラック型のボイスコイル５の内周が嵌め込まれることにより、ボイスコイル５の内周を支持する。また、枠部２１の短径を一対の支持部２２，２３が両側から交互に支持する。そして、支持部２２，２３の両端にＬ字状に設けられる取付部２４，２５が、両支持部２２，２３をボイスコイル５の内側に配置される固定部のうちのポール６上面に交互に固定して取り付ける。
【００２６】
短径及び長径を有するトラック型で構成されるボイスコイル５は、外側の外ダンパー７でＸ−Ｘで示す長径方向、内側の内ダンパー１１でＹ−Ｙで示す短径方向がそれぞれ分担されて支持される。これにより、振動系は正しくポール６と図示しないプレートの間の磁極空間内に保持するように制振されることで、しっかり支持され、大入力が入ってもＹ−Ｙで示す短径方向にボイスコイル５がローリング等を起こさないようにすることができる。
【００２７】
図４は、布ダンパーの例を示す図であり、図４Ａは正面図、図４ＢはＸ−Ｘ断面図、図４ＣはＹ−Ｙ断面図である。
図４Ａ、図４Ｂにおいて、外ダンパー３１は、枠部３３内に振動部のうちの短径及び長径を有するトラック型のボイスコイル５の外周が嵌め込まれることにより、ボイスコイル５の外周を支持する。また、枠部３３の長径を波状に折り返された布製の一対の支持部３２，３４が両側から支持する。そして、波状に折り返された布製の一対の支持部３２，３４の両端に設けられる図示しない取付部が、両支持部３２，３４を固定部のうちのフレーム１０に固定して取り付ける。
【００２８】
図４Ｂ、図４Ｃにおいて、内ダンパー４１は、枠部４２外に上述した短径及び長径を有するトラック型のボイスコイル５の内周が嵌め込まれることにより、ボイスコイル５の内周を支持する。また、枠部４２の短径を波状に折り返された布製の一対の支持部４３，４４が両側から交互に支持する。そして、波状に折り返された布製の一対の支持部４３，４４の両端にＬ字状に設けられる板状の取付部４５，４６が、両支持部４３，４４をボイスコイル５の内側に配置される固定部のうちのポール６上面に交互に固定して取り付ける。
【００２９】
短径及び長径を有するトラック型で構成されるボイスコイル５は、外側に設けられる波状に折り返された布製の外ダンパー３１でＸ−Ｘで示す長径方向、内側に設けられる波状に折り返された布製の内ダンパー４１でＹ−Ｙで示す短径方向がそれぞれ分担されて支持される。これにより、振動系は正しくポール６と図示しないプレートの間の磁極空間内に保持するように制振されることで、しっかり支持され、大入力が入ってもＹ−Ｙで示す短径方向にボイスコイル５がローリング等を起こさないようにすることができる。
【００３０】
図５は、蝶ダンパーの例を示す図であり、図５Ａは正面図、図５ＢはＸ−Ｘ断面図、図５ＣはＹ−Ｙ断面図である。
図５Ａ、図５Ｂにおいて、外ダンパー５１は、枠部５２内に振動部のうちの短径及び長径を有するトラック型のボイスコイル５の外周が嵌め込まれることにより、ボイスコイル５の外周を支持する。また、枠部５２の長径をプラスチック製のＳ字を組み合わせた蝶型の一対の支持部５３，５４が両側から支持する。そして、プラスチック製のＳ字を組み合わせた蝶型の一対の支持部５３，５４の両端に設けられる図示しない取付部が、両支持部５３，５４を固定部のうちのフレーム１０に固定して取り付ける。
【００３１】
図５Ｂ、図５Ｃにおいて、内ダンパー６１は、枠部６２外に上述した短径及び長径を有するトラック型のボイスコイル５の内周が嵌め込まれることにより、ボイスコイル５の内周を支持する。また、枠部６２の短径をプラスチック製のＳ字を組み合わせた一対の支持部６３，６４が両側から交互に支持する。そして、プラスチック製のＳ字を組み合わせた一対の支持部６３，６４の両端にＬ字状に設けられると共に互いをＳ字状に連結した板状の取付部６５，６６が、両支持部６３，６４をボイスコイル５の内側に配置される固定部のうちのポール６上面に交互に固定して取り付ける。
【００３２】
短径及び長径を有するトラック型で構成されるボイスコイル５は、外側に設けられるプラスチック製のＳ字を組み合わせた蝶型の外ダンパー５１でＸ−Ｘで示す長径方向、内側に設けられるプラスチック製のＳ字を組み合わせた内ダンパー６１でＹ−Ｙで示す短径方向がそれぞれ分担されて支持される。これにより、振動系は正しくポール６と図示しないプレートの間の磁極空間内に保持するように制振されることで、しっかり支持され、大入力が入ってもＹ−Ｙで示す短径方向にボイスコイル５がローリング等を起こさないようにすることができる。
【００３３】
図６は、内ダンパーの支持部及び取付部が１対以上ある例を示す図である。図６は、支持部及び取付部が３対ある例を示しているが、スピーカの細長形状に対応して複数対設けることができることを示している。
図６において、外ダンパー５１は、細長形状の枠部５２内に振動部のうちの短径及び長径を有する細長形状のトラック型のボイスコイル５の外周が嵌め込まれることにより、ボイスコイル５の外周を支持する。また、枠部５２の長径をプラスチック製のＳ字を組み合わせた蝶型の一対の支持部５３，５４が両側から支持する。そして、プラスチック製のＳ字を組み合わせた蝶型の一対の支持部５３，５４の両端に設けられる図示しない取付部が、両支持部５３，５４を固定部のうちのフレーム１０に固定して取り付ける。
【００３４】
内ダンパー６１は、細長形状の枠部６２外に上述した短径及び長径を有する細長形状のトラック型のボイスコイル５の内周が嵌め込まれることにより、ボイスコイル５の内周を支持する。また、枠部６２の一方の短部で短径をプラスチック製のＳ字状の一対の支持部６７−１，６７−２が両側から交互に支持する。そして、プラスチック製のＳ字状の一対の支持部６７−１、６７−２の両端にＬ字状に設けられる板状の取付部６８−１，６８−２が、両支持部６７−１，６７−２をボイスコイル５の内側に配置される固定部のうちのポール６上面に交互に固定して取り付ける。
【００３５】
また、枠部６２の中央付近で短径をプラスチック製のＳ字状の一対の支持部６７−３，６７−４が両側から交互に支持する。そして、プラスチック製のＳ字状の一対の支持部６７−３、６７−４の両端にＬ字状に設けられる板状の取付部６８−３，６８−４が、両支持部６７−３，６７−４をボイスコイル５の内側に配置される固定部のうちのポール６上面に交互に固定して取り付ける。ここで、枠部６２の中央付近に設けられる一対の支持部６７−３，６７−４及び取付部６８−３，６８−４は複数対設けるようにしてもよい。
【００３６】
また、枠部６２の他方の短部で短径をプラスチック製のＳ字状の一対の支持部６７−５，６７−６が両側から交互に支持する。そして、プラスチック製のＳ字状の一対の支持部６７−５、６７−６の両端にＬ字状に設けられる板状の取付部６８−５，６８−６が、両支持部６７−５，６７−６をボイスコイル５の内側に配置される固定部のうちのポール６上面に交互に固定して取り付ける。
【００３７】
短径及び長径を有する細長形状のトラック型で構成されるボイスコイル５は、外側に設けられるプラスチック製のＳ字を組み合わせた蝶型の細長形状の外ダンパー５１でＸ−Ｘで示す長径方向（図５Ａ参照）が支持され、内側に設けられるプラスチック製のＳ字を組み合わせた細長形状の内ダンパー６１でＹ−Ｙで示す短径方向（図５Ａ参照）が支持される。このように、ボイスコイル５は外ダンパー５１と内ダンパー６１とで互いに分担して支持されることになる。これにより、振動系は正しくポール６と図示しないプレートの間の磁極空間内に保持するように制振されて、しっかり支持されるため、大入力が入っても、細長形状のボイスコイル５がＹ−Ｙで示す短径方向にローリング等を起こさないようにすることができる。
【００３８】
上述した実施の形態では、外ダンパーと内ダンパーが別体に構成される例を示したが、これに限らず、外ダンパーと内ダンパーが一体に構成されてもよい。
図７は、外ダンパーと内ダンパーが一体の例を示す図である。図７が図１に示す振動部分と異なる点は外ダンパー７１と内ダンパー７５が連結部７９を介して一体に構成される点のみである。
【００３９】
この場合、振動板となるコーン１のボイスコイル５に直接接着することができない部分は連結部７９に接着される。連結部７９は、外ダンパー７１の枠部７２と内ダンパー７５の枠部７６をコ字状に連結している。これにより、連結部７９は、ボイスコイル５の上端部を挟むように形成され、内ダンパー７５をポール６に取り付けるため取付部７８が、ボイスコイル５の内側に配置されるポール６上面に固定して取り付けられる。
【００４０】
図８は、外ダンパーと内ダンパーの連結状態を示す図である。図８は図６の内ダンパーの支持部及び取付部が１対のみであって、外ダンパーと内ダンパーとが連結部を介して連結される状態を示すものである。
図８において、外ダンパー８１は、枠部８２内に振動部のうちの短径及び長径を有するトラック型のボイスコイル５の外周が嵌め込まれることにより、ボイスコイル５の外周を支持する。また、枠部８２の長径をプラスチック製のＳ字を組み合わせた蝶型の一対の支持部８３，８４が両側から支持する。そして、プラスチック製のＳ字を組み合わせた蝶型の一対の支持部８３，８４の両端に設けられる図示しない取付部が、両支持部８３，８４を固定部のうちのフレーム１０に固定して取り付ける。
【００４１】
ここで、外ダンパー８１の枠部８２と内ダンパー８５の枠部９０は、短径を連結部９１，９２により連結すると共に、長径を連結部９３，９４により連結する。このとき、短径の連結部９１，９２は、トラック型のボイスコイル５の短径の上端部を挟み込み、長径の連結部９３，９４は、トラック型のボイスコイル５の長径の上端部を挟み込むことにより、短径及び長径を支持する。
【００４２】
内ダンパー８５は、枠部９０外に上述した短径及び長径を有するトラック型のボイスコイル５の内周が嵌め込まれることにより、ボイスコイル５の内周を支持する。また、枠部９０の短径をプラスチック製のＳ字状の一対の支持部８６，８７が両側から交互に支持する。そして、プラスチック製のＳ字状の一対の支持部８６，８７の両端にＬ字状に設けられる板状の取付部８８，８９が、ボイスコイル５の内側に配置される固定部のうちのポール６上面に両支持部８６，８７を固定して取り付ける。
【００４３】
短径及び長径を有するトラック型で構成されるボイスコイル５は、外側に設けられるプラスチック製のＳ字状の蝶型の外ダンパー５１でＸ−Ｘで示す長径方向が支持され、内側に設けられるプラスチック製のＳ字状の内ダンパー６１でＹ−Ｙで示す短径方向が分担支持される。またこのとき、短径の連結部９１，９２により短径方向が支持され、長径の連結部９３，９４により長径方向がそれぞれ分担されて支持される。
【００４４】
これにより、振動系は正しくポール６と図示しないプレートの間の磁極空間内に保持するように制振されて、しっかりと支持されるので、大入力が入ってもボイスコイル５がＹ−Ｙで示す短径方向にローリング等を起こさないようにすることができる。
【００４５】
次に、このように構成される外ダンパーと内ダンパーの組み付け方法について図9から図１４に基づいて説明する。
図９は、外ダンパーと内ダンパーが別体のときの外ダンパーの組み付け方法を示す図である。
図９，図１０，図１１において、スピーカの固定部を構成するプレート１０１、マグネット１０２及びフレーム１０に対して、振動部であるボイスコイル５の制振を行う外ダンパー７及び内ダンパー１１をスピーカに組み付ける方法を説明する。
【００４６】
まず、ボイスコイルゲージ１０３を、振動部のうちの短径及び長径を有するトラック型のボイスコイル５の内周に嵌め込む共に、固定部のうちのポール６の外周に嵌め込む。
次に、ボイスコイルゲージ１０３を用いてボイスコイル５が固定される位置で、１０４で示すように、ボイスコイル５の外周を支持する外ダンパー７の枠部１２とボイスコイル５の外周を接着すると共に、固定部のうちのフレーム１０と枠部１２の長径を両側から支持する一対の支持部１３，１４を、取付部１５，１６を介して接着することにより外ダンパー７を組み付ける（図２Ａ参照）。
【００４７】
図１０は、内ダンパー１１の組み付け方法を示す図である。
図９の位置で外ダンパー７を組み付けた後に、ボイスコイルゲージ１０３をボイスコイル５の内周及びポール６の外周から外す。組み付けられた外ダンパー７によりボイスコイル５の位置出しはできているので、その位置で内ダンパー１１をボイスコイル５の内周に挿入する。
【００４８】
次に、１１１で示すように、ボイスコイル５の内周を支持する内ダンパー１１の枠部２１とボイスコイル５の内周を接着すると共に、固定部のうちのポール６と枠部２１の短径を両側から支持する一対の支持部２２，２３を、取付部２４，２５を介して接着することにより内ダンパー１１を組み付ける。
【００４９】
図１１は、内ダンパー１１の位置出し方法を示す図である。
図１０で内ダンパー１１を組み付ける際に、さらに正確に位置出しをするために、プレート１０１の下部からボイスコイルゲージ１０３を、振動部のうちの短径及び長径を有するトラック型のボイスコイル５の内周に嵌め込むと共に、固定部のうちのポール６の外周に嵌め込む。
【００５０】
図１２は、プレート１０１の下部に設けられたポール６の外周に貫通する挿入孔１２１，１２２，１２３，１２４を示す図であり、図１２Ａは底面図、図１２Ｂは一部断面図である。図１３は、ボイスコイルゲージ１０３の形状を示す図である。図１３に示すように、ボイスコイルゲージ１０３は、周囲に切欠１３１，１３２，１３３，１３４を設けることにより、挿入部１３５，１３６，１３７，１３８を形成している。
【００５１】
図１２Ａに示す挿入孔１２１，１２２，１２３，１２４に対応位置に挿入可能に図１３に示す挿入部１３５，１３６，１３７，１３８が設けられている。
従って、図１２Ａに示すプレート１０１の下部の挿入孔１２１，１２２，１２３，１２４から図１３に示すボイスコイルゲージ１０３の挿入部１３５，１３６，１３７，１３８を挿入することができる。ボイスコイルゲージ１０３の挿入時にポール６の上端にボイスコイルゲージ１０３の切欠１３１，１３２，１３３，１３４が突出するようにする。
【００５２】
このとき、切欠１３１及び切欠１３３が長径方向に設けられ，切欠１３２及び切欠１３４が短径方向に設けられているため、上述した内ダンパー１１の枠部２１とボイスコイル５との接着位置を、長径方向の切欠１３１及び切欠１３３の位置と、短径方向の切欠１３２及び切欠１３４の位置に合わせることができる。そして、この位置で内ダンパー１１の取付部２４，２５とポール６の上端との接着の位置出しをすることができる。
【００５３】
図１４は、図７のように外ダンパー７１と内ダンパー７５が一体のときの外ダンパー７１と内ダンパー７５の組み付け方法を示す図である。
まず、ボイスコイルゲージ１０３を、一体の外ダンパー７１と内ダンパー７５を介して、振動部のうちの短径及び長径を有するトラック型のボイスコイル５の内周に嵌め込む共に、固定部のうちのポール６の外周に嵌め込む。
【００５４】
このとき、図８に示した短径の連結部９１，９２と、長径の連結部９３，９４とを、図１３に示したボイスコイルゲージ１０３の短径方向の切欠１３２及び切欠１３４と、長径方向の切欠１３１及び切欠１３３の位置に合わせることができる。
【００５５】
上述した本実施の形態によれば、スピーカの振動板の幅を細くするためにボイスコイルの形状を一方の径の長い異形のボイスコイルとすることによって、同じ幅の円型のボイスコイルに比べボイスコイルの外周が大きくなるため高出力信号の再生時の振動特性を優位にすることができる。
【００５６】
このとき、幅を狭くするためにボイスコイルの外側に位置する支持系の外ダンパーは長径方向のみを固定部のフレームに対して支持するようにし、短径方向には支持しない。これにより、より細いスピーカを作ることができる。
また、このとき、ボイスコイルの内部に内ダンパーを付ける。ボイスコイル内部の内ダンパーは一対以上の対称方向の指示部を有するように構成されている。
【００５７】
従って、短径方向の一対の指示部がそれぞれポールの異なる位置を支持する。これにより、通常の内ダンパーではボイスコイル短径の半分に相当する振幅しか対応できないが、一対の指示部によりその倍近くの振幅に対応できる内ダンパーを構成することができる。従って、最低共振周波数Foの低い再生周波数帯域の広いスピーカを形成することができる。
【００５８】
また、ボイスコイルの外側の外ダンパーで長径方向、内側の内ダンパーで短径方向を支持することにより、振動系はしっかり支持され、スピーカに大入力信号が入っても振動によりローリング等を起こさないようにすることができる。
【００５９】
また、ボイスコイルの外側の外ダンパーと内側の内ダンパーを用いることによってボイスコイルが2個所で固定することができる。これにより、振動時に起こるボイスコイルの変形を防ぐことができ、ボイスコイルの磁気回路とのこすれを防ぐことができる。
【００６０】
さらに、ダンパーの材質はプラスチック、フェノール樹脂含浸の綿布、フェノール樹脂含浸のポリエステル、フェノール含浸のアミド繊維、金属、ベークライト等を用いることができる。また、ボイスコイルの外側の外ダンパーと内側の内ダンパーの材質が異なっていても良い。
【００６１】
上述した本発明の実施の形態に限らず、本発明の特許請求の範囲内であれば適宜変更しうることはいうまでもない。
【図面の簡単な説明】
【００６２】
【図１】スピーカ振動部分の説明図である。
【図２】外ダンパー、内ダンパー及びボイスコイルの斜視図であり、図２Ａは外ダンパー、図２Ｂは内ダンパー、図２Ｃはボイスコイルである。
【図３】ボイスコイルに外ダンパー及び内ダンパーを取り付けた状態を示す斜視図である。
【図４】布ダンパーの例を示す図であり、図４Ａは正面図、図４ＢはＸ−Ｘ断面図、図４ＣはＹ−Ｙ断面図である。
【図５】蝶ダンパーの例を示す図であり、図５Ａは正面図、図５ＢはＸ−Ｘ断面図、図５ＣはＹ−Ｙ断面図である。
【図６】内ダンパーの支持部及び取付部が１対以上ある例を示す図である。
【図７】外ダンパーと内ダンパーが一体の例を示す図である。
【図８】外ダンパーと内ダンパーの連結状態を示す図である。
【図９】外ダンパーと内ダンパーが別体のときの外ダンパーの組み付け方法を示す図である。
【図１０】内ダンパーの組み付け方法を示す図である。
【図１１】内ダンパーの位置出し方法を示す図である。
【図１２】ポールの挿入孔を示す図であり、図１２Ａは底面図、図１２Ｂは一部断面図である。
【図１３】ボイスコイルゲージの形状を示す図である。
【図１４】外ダンパーと内ダンパーが一体のときの外ダンパーの組み付け方法を示す図である。
【図１５】従来のダンパーの形状を示す図であり、図１５Ａはトラック型ダンパー、図１５Ｂは内ダンパー、図１５Ｃは蝶ダンパーである。
【００６３】
５…ボイスコイル、６…ポール、７…外ダンパー、１０…フレーム、…内ダンパー、１１１２…枠部、１３，１４…支持部、１５，１６…取付部、２１…枠部、２２，２３…支持部、２４，２５…取付部、
【図１】
0004604900.tif 000002
【図２】
0004604900.tif 000003
【図３】
0004604900.tif 000004
【図４】
0004604900.tif 000005
【図５】
0004604900.tif 000006
【図６】
0004604900.tif 000007
【図７】
0004604900.tif 000008
【図８】
0004604900.tif 000009
【図９】
0004604900.tif 000010
【図１０】
0004604900.tif 000011
【図１１】
0004604900.tif 000012
【図１２】
0004604900.tif 000013
【図１３】
0004604900.tif 000014
【図１４】
0004604900.tif 000015
【図１５】
0004604900.tif 000016